(57)【要約】【課題】安価且つ簡単な構成により電源ユニットと収容ケースとを電気的に接続することができる電源装置を提供することである。【解決手段】実施形態に係る電源装置は、金属製のケース筒を有する収容ケースと、光源を点灯させる、収容ケースに収容される電源ユニットと、収容ケースの外側から電源ユニットを接触する螺子部材と、を備える。【選択図】図４
2018166030.tif 000002
【特許請求の範囲】
【請求項１】
金属製のケース筒を有する収容ケースと、
光源を点灯させる、前記収容ケースに収容される電源ユニットと、
前記収容ケースの外側から前記電源ユニットに接触するように螺子止めされる螺子部材と、
を備えることを特徴とする電源装置。
【請求項２】
前記電源ユニットは、電源回路が実装された基板と、前記基板を収容するベース部材と、前記電源回路を覆って前記ベース部材に連結されたカバー部材とを有し、
前記螺子部材は、前記ケース筒の上板面と前記カバー部材とを接触する防水螺子であることを特徴とする請求項１に記載の電源装置。
【請求項３】
前記防水螺子は螺子山部を備え、前記螺子山部、又は、前記螺子山部の先端が前記ケース筒の前記上板面と前記カバー部材とを接触することを特徴とする請求項２に記載の電源装置。
【請求項４】
前記電源ユニットは、電源回路が実装された基板と、前記基板を収容するベース部材と、前記電源回路を覆って前記ベース部材に連結されたカバー部材とを有し、
前記螺子部材は、前記ケース筒の側板面と前記カバー部材とを接触する防水螺子であることを特徴とする請求項１に記載の電源装置。
【請求項５】
前記防水螺子は螺子山部を備え、前記螺子山部、又は、前記螺子山部の先端が前記ケース筒の前記上板面と前記カバー部材とを接触することを特徴とする請求項４に記載の電源装置。
【請求項６】
前記防水螺子は螺子山部を備え、前記螺子山部、又は、前記螺子山部の先端が前記ケース筒の前記上板面と前記ベース部材とを接触することを特徴とする請求項４に記載の電源装置。
【請求項７】
前記収容ケースは、シール材と、前記ケース筒の端面開口を前記シール材を介して塞ぐケース端板とを更に有し、
前記電源ユニットは、電源回路が実装された基板と、前記基板を収容するベース部材と、前記電源回路を覆って前記ベース部材に連結されたカバー部材とを有し、
前記螺子部材は、前記ケース端板と前記ベース部材とを電気的に接続するとともに前記ケース端板と前記ベース部材との間に配設されたシール材を前記ケース端板と前記ベース部材とで挟持することを特徴とする請求項１に記載の電源装置。
【請求項８】
前記ベース部材は、側板面と前記側板面の間に設けられた底板面とにより形成され、
前記螺子部材は、前記ベース部材の前記底板面の一部の領域を前記側板面が設けられている方向に折り曲げた取り付け部に前記シー部材を介して接触することを特徴とする請求項７に記載の電源装置。
【請求項９】
前記ベース部材は、側板面と前記側板面の間に設けられた底板面とにより形成され、
前記螺子部材は、前記ベース部材の前記側板面の一部の領域を前記底板面が設けられている方向に折り曲げた取り付け部に前記シー部材を介して接触することを特徴とする請求項７に記載の電源装置。
【請求項１０】
前記収容ケースは、シール材と、前記ケース筒の端面開口を前記シール材を介して塞ぐケース端板とを更に有し、
前記電源ユニットは、電源回路が実装された基板と、前記基板を収容するベース部材と、前記電源回路を覆って前記ベース部材に連結されたカバー部材とを有し、
前記螺子部材は、前記収容ケースの側板面と前記ベース部材とを電気的に接続するとともに前記収容ケースの側板面と前記ベース部材との間に配設されたシール材を前記収容ケースの側板面と前記ベース部材とで挟持することを特徴とする請求項１に記載の電源装置。
【請求項１１】
器具本体と、
前記器具本体にソケットを介して取り付けられる光源と、
前記器具本体に内蔵され、金属製のケース筒を有する収容ケースと、前記光源を点灯させる、前記収容ケースに収容される電源ユニットと、前記収容ケースの外側から前記電源ユニットに接触するように螺子止めされる螺子部材と、を有する電源装置と、
を備えることを特徴とする照明器具。
【発明の詳細な説明】
【技術分野】
【０００１】
本発明の実施形態は、電源装置及び照明器具に関する。
【背景技術】
【０００２】
従来より、照明器具が備える電源装置には、高周波スイッチング電源回路を有した電源装置、いわゆる電子安定器が多用されている。多数の電気部品を組み合わせて作られている高周波スイッチング電源回路は、高湿度環境では、絶縁耐圧不良や地絡等を生じる可能性が考えられる。このため、耐水・耐湿環境でも好適に使用できるように、水密を維持できる防水型の電源装置が知られている。
【０００３】
この種の電源装置として、相対向する第１の壁、第２の壁を有した金属製ケース筒を備える防水構造の筒状収容ケースと、光源を点灯させる電源ユニットと、電源ユニットを保持して収容ケースに収容させるユニットホルダとを備えた電源装置が知られている。
【０００４】
この電源装置は、収容ケースと電源ユニットとのアース接続を行うために、電源ユニットを保持しているユニットホルダと収容ケースとの間にアース金具を挟み込ませる構造となっている。
【０００５】
このアース金具は、略く字状に曲げられた金属ばね部材により形成され、一端に位置する第１爪と、中間の折り曲げ部に位置する第２爪とを有している。そして、ユニットホルダと収容ケースとの間にアース金具を押し込むと、第１爪が収容ケースの壁を引掻くとともに、第２爪がユニットホルダの側板面を引掻くことになる。これにより、収容ケースと、電源ユニットを保持したユニットホルダとがアース金具を介して電気的に接続され、アース接続されることになる。
【０００６】
しかしながら、このようなアース金具を用いてアース接続することは、製造コストの高騰化及び構造の複雑化を招くという問題がある。
【先行技術文献】
【特許文献】
【０００７】
【特許文献１】特開２００５−４９７６号公報
【発明の概要】
【発明が解決しようとする課題】
【０００８】
本実施形態は、安価且つ簡単な構成により電源ユニットと収容ケースとを電気的に接続することができる電源装置及び照明器具を提供することを目的とする。
【課題を解決するための手段】
【０００９】
実施形態に係る電源装置は、金属製のケース筒を有する収容ケースと、光源を点灯させる、前記収容ケースに収容される電源ユニットと、前記収容ケースの外側から前記電源ユニットに接触するように螺子止めされる螺子部材と、を備える。
【００１０】
また、実施形態に係る照明器具は、器具本体と、前記器具本体にソケットを介して取り付けられる光源と、前記器具本体に内蔵され、金属製のケース筒を有する収容ケースと、前記光源を点灯させる、前記収容ケースに収容される電源ユニットと、前記収容ケースの外側から前記電源ユニットに接触するように螺子止めされる螺子部材と、を有する電源装置と、を備える。
【発明の効果】
【００１１】
実施形態によれば、安価且つ簡単な構成により電源ユニットと収容ケースとを電気的に接続することができる電源装置及び照明器具を提供することができる。
【図面の簡単な説明】
【００１２】
【図１】第１の実施形態に係る照明器具の構成について説明する。
【図２】電源装置の一部を分解して示す分解斜視図である。
【図３】電源装置の全体構成を示す斜視図である。
【図４】電源ユニット２１が収容ケース１１に収容された状態を長手方向の側面から見た断面図である。
【図５】電源ユニット２１が収容ケース１１に収容された状態を短手方向の側面から見た断面図である。
【図６】防水螺子４１の構造を説明するための図である。
【図７】電源ユニット２１が収容ケース１１に収容された状態を上板面の方向から見た断面図である。
【図８Ａ】ベース部材の側板面の構造の一例を示す図である。
【図８Ｂ】ベース部材の側板面の構造の一例を示す図である。
【図８Ｃ】ベース部材の側板面の構造の一例を示す図である。
【図８Ｄ】ベース部材の側板面の構造の一例を示す図である。
【図９】第２の実施形態に係る電源ユニットを上方向から見た図である。
【図１０】図９の電源ユニットを短手方向から見た側面図である。
【図１１】電源ユニットを収容ケースに収容した状態を上板面の方向から見た断面図である。
【図１２】電源ユニットの他の構成を上方向から見た図である。
【図１３】図１２の電源ユニットを短手方向から見た側面図である。
【図１４】電源ユニットの他の構成を長手方向の側面から見た図である。
【図１５】電源ユニット２１が収容ケース１１に収容された状態を上板面の方向から見た断面図である。
【図１６】電源ユニット２１が収容ケース１１に収容された状態を短手方向の側面から見た断面図である。
【発明を実施するための形態】
【００１３】
実施形態の電源装置は、金属製のケース筒を有する収容ケースと、光源を点灯させる、前記収容ケースに収容される電源ユニットと、前記収容ケースの外側から前記電源ユニットに接触するように螺子止めされる螺子部材と、を備える。
【００１４】
また、実施形態の電源装置は、前記電源ユニットは、電源回路が実装された基板と、前記基板を収容するベース部材と、前記電源回路を覆って前記ベース部材に連結されたカバー部材とを有し、前記螺子部材は、前記ケース筒の上板面と前記カバー部材とを接触する防水螺子である。
【００１５】
また、実施形態の電源装置は、前記防水螺子は螺子山部を備え、前記螺子山部、又は、前記螺子山部の先端が前記ケース筒の前記上板面と前記カバー部材とを接触する。
【００１６】
また、実施形態の電源装置は、前記電源ユニットは、電源回路が実装された基板と、前記基板を収容するベース部材と、前記電源回路を覆って前記ベース部材に連結されたカバー部材とを有し、前記螺子部材は、前記ケース筒の側板面と前記カバー部材とを接触する防水螺子である。
【００１７】
また、実施形態の電源装置は、前記防水螺子は螺子山部を備え、前記螺子山部、又は、前記螺子山部の先端が前記ケース筒の前記上板面と前記カバー部材とを接触する。
【００１８】
また、実施形態の電源装置は、前記防水螺子は螺子山部を備え、前記螺子山部、又は、前記螺子山部の先端が前記ケース筒の前記上板面と前記ベース部材とを接触する。
【００１９】
また、実施形態の電源装置は、前記収容ケースは、シール材と、前記ケース筒の端面開口を前記シール材を介して塞ぐケース端板とを更に有し、前記電源ユニットは、電源回路が実装された基板と、前記基板を収容するベース部材と、前記電源回路を覆って前記ベース部材に連結されたカバー部材とを有し、前記螺子部材は、前記ケース端板と前記ベース部材とを電気的に接続するとともに前記ケース端板と前記ベース部材との間に配設されたシール材を前記ケース端板と前記ベース部材とで挟持する。
【００２０】
また、実施形態の電源装置は、前記ベース部材は、側板面と前記側板面の間に設けられた底板面とにより形成され、前記螺子部材は、前記ベース部材の前記底板面の一部の領域を前記側板面が設けられている方向に折り曲げた取り付け部に前記シー部材を介して接触する。
【００２１】
また、実施形態の電源装置は、前記ベース部材は、側板面と前記側板面の間に設けられた底板面とにより形成され、前記螺子部材は、前記ベース部材の前記側板面の一部の領域を前記底板面が設けられている方向に折り曲げた取り付け部に前記シー部材を介して接触する。
【００２２】
また、実施形態の電源装置は、前記収容ケースは、シール材と、前記ケース筒の端面開口を前記シール材を介して塞ぐケース端板とを更に有し、前記電源ユニットは、電源回路が実装された基板と、前記基板を収容するベース部材と、前記電源回路を覆って前記ベース部材に連結されたカバー部材とを有し、前記螺子部材は、前記収容ケースの側板面と前記ベース部材とを電気的に接続するとともに前記収容ケースの側板面と前記ベース部材との間に配設されたシール材を前記収容ケースの側板面と前記ベース部材とで挟持する。
【００２３】
また、実施形態の照明器具は、器具本体と、前記器具本体にソケットを介して取り付けられる光源と、前記器具本体に内蔵され、金属製のケース筒を有する収容ケースと、前記光源を点灯させる、前記収容ケースに収容される電源ユニットと、前記収容ケースの外側から前記電源ユニットに接触するように螺子止めされる螺子部材と、を有する電源装置と、を備える。
【００２４】
以下、図面を参照して本発明の実施形態について詳細に説明する。
【００２５】
なお、以下の説明に用いる各図において、各構成要素を図面上で認識可能な程度の大きさとするため、構成要素毎に縮尺を異ならせてあるものもある。即ち、本発明の実施形態は、これらの図に記載された構成要素の数量、構成要素の形状、構成要素の大きさの比率、及び各構成要素の相対的な位置関係のみに限定されるものではない。
（第１の実施形態）
まず、図１に基づき、第１の実施形態に係る照明器具の構成について説明する。図１は、第１の実施形態に係る照明器具の全体構成を示す斜視図である。
【００２６】
図１に示す照明器具１は、天井等の被取り付け面に直付けされる防水型のＬＥＤ照明器具であって、器具本体２と、ランプソケット３と、例えば直管型のＬＥＤランプ４と、ＬＥＤランプ４を点灯させる電源装置５とを備えて構成されている。
【００２７】
器具本体２は、例えば直方体形状の金属により構成されている。また、器具本体２の長手方向の両端部には、ランプソケット３が例えば下向きに突設されている。ＬＥＤランプ４は、ランプソケット３に取り外し可能に支持されている。光源としてのＬＥＤランプ４を点灯させる電源装置５は、防水構造であり、器具本体２に内蔵されている。
【００２８】
なお、本実施形態では、直管型のＬＥＤランプ４が取り付けられる照明器具１について説明するが、これに限定されるものではない。例えば、照明器具１は、電球型のＬＥＤランプあるいはＬＥＤモジュールバーが取り付けられる構成であってもよい。
【００２９】
また、本実施形態では、ＬＥＤランプ４を点灯させるＬＥＤ照明器具１について説明するが、これに限定されるものではない。例えば、照明器具１は、ハロゲンランプあるいはキセノンランプ等の光源を点灯させる照明器具であってもよい。
【００３０】
次に、照明器具１が備える電源装置５の詳細な構成について説明する。図２は、電源装置の一部を分解して示す分解斜視図であり、図３は、電源装置の全体構成を示す斜視図であり、図４は、電源ユニット２１が収容ケース１１に収容された状態を長手方向の側面から見た断面図であり、図５は、電源ユニット２１が収容ケース１１に収容された状態を短手方向の側面から見た断面図である。
【００３１】
図２〜図５に示すように、電源装置５は、外郭をなす収容ケース１１と、電源ユニット２１とを有して構成されている。
【００３２】
収容ケース１１は、防水構造を備え、筒状に形成されている。具体的には、収容ケース１１は、ケース筒１２と、ケース端部材である一対のケース端板１３と、シール材である一対のパッキン１４とから形成されている。
【００３３】
ケース筒１２は、例えばアルミニウム、アルミニウム合金あるいはステンレス等の金属により形成されている。ケース筒１２は、上板面１２ａ、一対の側板面１２ｂ、及び、底板面１２ｃを備える。ケース端板１３は、ケース筒１２と同材質の金属、例えばアルミニウム、アルミニウム合金あるいはステンレス等の金属で形成されている。
【００３４】
パッキン１４は、合成ゴムあるいはエラストマ等の軟質なシール材により形成されている。２つのケース端板１３は、ケース筒１２の端面との間にそれぞれパッキン１４を挟んだ状態で、ケース端板１３及びパッキン１４を通ってねじ込まれる複数の螺子１５を用いて、ケース筒１２の端面開口を水密に塞ぐように構成されている。
【００３５】
ケース端板１３には、電源線１６を通す電源通し部１３ａが設けられており、電源通し部１３ａからパッキン１４に設けられた挿通孔１４ａが露出している。電源線１６を電源通し部１３ａに通した際、防水処理が施され、収容ケース１１の防水性が保たれる構成になっている。
【００３６】
電源ユニット２１は、収容ケース１１に収容されるものである。電源ユニット２１は、ユニットケース２３内に、図示しない各種の電気回路部品を接続して構成された電子安定器である。この電源回路は、プリント配線基板２４に実装されている。また、プリント配線基板２４の両端には、電源線１６が接続される複数の端子台２５が配設されている。
【００３７】
ユニットケース２３は、断面コ字状のベース部材２６と、電源回路を覆ってベース部材２６に連結されたカバー部材２７とにより構成されている。ベース部材２６は、幅方向の両端に一対の側板面２６ａを有して断面コ字状に形成され、両端の側板面２６ａの間には平板状の底板面２６ｂが形成されている。ベース部材２６の長手方向の両端部は、カバー部材２７の端面から突出されている。
【００３８】
ユニットケース２３を構成するベース部材２６及びカバー部材２７は、いずれもアルミニウム、アルミニウム合金あるいはステンレス等の金属により形成されている。このように構成されたユニットケース２３と、プリント配線基板２４に実装された電源回路とはアースのために電気的に接続されている。
【００３９】
このように、電源ユニット２１は、電源回路が実装されたプリント配線基板２４と、プリント配線基板２４を収容するベース部材２６と、電源回路を覆ってベース部材２６に連結されたカバー部材２７とにより構成されている。
【００４０】
電源ユニット２１は、ケース筒１２内に一端の開口を通して挿入されることによりケース筒１２に内蔵される。そして、ケース筒１２の長手方向の両端にそれぞれパッキン１４を挟んでケース端板１３が３つの螺子１５により螺子止めされ、収容ケース１１が組み立てられる。
【００４１】
このように組み立てられた電源装置５は、ケース筒１２の上板面１２ａの外側から防水螺子４１を用いてケース筒１２及びカバー部材２７に対してタッピングし、ケース筒１２内部の電源ユニット２１のカバー部材２７に防水螺子４１の螺子山部が接触する構造になっている。このような構造により、ケース筒１２と電源ユニット２１とが防水螺子４１を介して電気的に確実に接続でき、アース接続をすることができる。
【００４２】
なお、図４の例では、防水螺子４１の螺子山部がカバー部材２７に接触する構造であるが、これに限定されることなく、例えば、螺子山部の先端が電源ユニット２１のカバー部材２７に接触する構造の防水螺子４１Ａを用いてもよい。
【００４３】
ここで、防水螺子４１の構造について図６を用いて説明する。図６は、防水螺子４１の構造を説明するための図である。図６に示すように、防水螺子４１は、頭部４２と、螺子山（及び螺子溝）が形成されている螺子山部４３とを備えた螺子部材であり、ステンレス鋼やアルミニウム合金等の金属螺子である。頭部４２と螺子山部４３との間には、ゴム等により形成されるシール材４４が螺子山部４３の周囲に設けられている。このような構成により、防水螺子４１は、螺子孔の内部への水等の浸入を防止する防水機能を備えている。
【００４４】
なお、防水螺子４１の形状は図６に限定されるものではなく、他の形状であってもよい。また、防水螺子４１をケース筒１２に設ける位置、設ける面、設ける数は、図４に限定されるものではない。例えば、防水螺子４１をケース筒１２の側面に設けるようにしてもよい。
【００４５】
図７は、電源ユニット２１が収容ケース１１に収容された状態を上板面の方向から見た断面図である。
【００４６】
図７に示すように、ケース筒１２の側板面１２ｂの外側から防水螺子４１を用いてケース筒１２及びベース部材２６に対してタッピングし、ケース筒１２内部の電源ユニット２１のベース部材２６に防水螺子４１の螺子山部が接触する構造になっている。このような構造により、ケース筒１２と電源ユニット２１とが防水螺子４１を介して電気的に確実に接続でき、アース接続をすることができる。
【００４７】
なお、図７の例では、防水螺子４１の螺子山部がベース部材２６に接触する構造であるが、これに限定されることなく、例えば、螺子山部の先端が電源ユニット２１のベース部材２６に接触する構造の防水螺子４１Ｂを用いてもよい。また、螺子山部の先端が電源ユニット２１のカバー部材２７に接触する構造の防水螺子４１Ｃを用いてもよい。
【００４８】
本実施形態では、防水螺子４１をケース筒１２及びベース部材２６に対してタッピングするため、ベース部材２６の側板面２６ａに螺子孔を設ける必要はないが、図８Ａ〜図８Ｄに示すように、防水螺子４１の螺子山部４３が嵌め込まれる構造をベース部材２６の側板面２６ａに設けてもよい。
【００４９】
図８Ａ〜図８Ｄは、ベース部材２６の側板面２６ａの構造の一例を示す図である。図８Ａに示すように、ベース部材２６の側板面２６ａは丸孔２８ａを有する構造であり、防水螺子４１の螺子山部４３が丸孔２８ａに嵌め込まれる。また、図７Ｂに示すように、ベース部材２６の側板面２６ａは、防水螺子４１の螺子山部４３が嵌め込まれる楕円孔２８ｂを有する構造であってもよい。また、図７Ｃに示すように、ベース部材２６の側板面２６ａは、防水螺子４１の螺子山部４３が嵌め込まれるスリット２８ｃを有する構造であってもよい。また、図７Ｄに示すように、ベース部材２６の側板面２６ａは、防水螺子４１の螺子山部４３が嵌め込まれる爪部２８ｄを有する構造であってもよい。なお、これらの丸孔２８ａ、楕円孔２８ｂ、スリット２８ｃ及び爪部２８ｄは、バーリング加工が施されていてもよい。
【００５０】
このように、本実施形態の電源装置５は、防水螺子４１を用いてケース筒１２と電源ユニット２１とを電気的に接続する構造のため、従来のように、ケース筒１２と電源ユニット２１との間にアース接続するためのアース金具を用いる必要がない。そのため、本実施形態の電源装置５は、安価且つ簡単な構成により電源ユニット２１と収容ケース１１とを電気的に接続することができる。
（第２の実施形態）
次に、第２の実施形態について説明する。
【００５１】
図９は、第２の実施形態に係る電源ユニットを上方向から見た図である。図１０は、図９の電源ユニットを短手方向から見た側面図である。図１１は、電源ユニットを収容ケースに収容した状態を上板面の方向から見た断面図である。
【００５２】
図９及び図１０に示すように、ベース部材２６には、底板面２６ｂの一部の領域を上方向、すなわち、側板面２６ａが設けられている方向に９０度折り曲げた取り付け部５０が形成されている。図９の例では、取り付け部５０は、ベース部材２６の底板面２６ｂの対角線上に２つ設けられているが、いずれか一方に設けられていればよい。
【００５３】
取り付け部５０には、螺子止め可能な丸孔５１が設けられている。なお、取り付け部５０は、丸孔５１に限定されることなく、例えば、図８Ｂ〜図８Ｄに示すような楕円孔２８ｂ、スリット２８ｃ又は爪部２８ｄであってもよい。
【００５４】
図１１に示すように、電源ユニット２１が収容ケース１１に収容され、ケース端板１３から通常の螺子、すなわち、非防水の螺子５２が通される。これにより、非防水の螺子５２がシール材であるパッキン１４を介して取り付け部５０の丸孔５１に嵌合され、ケース端板１３とベース部材２６の側板面２６ａに形成された取り付け部５０とが非防水の螺子５２を介して電気的に接続されることになる。このような構造により、電源ユニット２１と収容ケース１１とが螺子５２を介して電気的に接続され、アース接続されることになる。本実施形態では、パッキン１４が防水構造を備えているため、非防水の螺子５２を用いることができる。具体的には、非防水の螺子５２をパッキン１４に設けられた挿通孔１４ｂに圧入することで、非防水の螺子５２とパッキン１４との間を防水構造にしている。
【００５５】
なお、取り付け部５０は、ベース部材２６の下面を用いて形成することに限定されるものではない。
【００５６】
図１２は、電源ユニットの他の構成を上方向から見た図である。図１３は、図１２の電源ユニットを短手方向から見た側面図である。
【００５７】
図１２及び図１３に示すように、ベース部材２６は、側板面２６ａを内側、すなわち、底板面２６ｂが設けられている方向に９０度折り曲げて、取り付け部５０Ａを形成する。取り付け部５０Ａは、図１０と同様に丸孔５１を備えて構成されている。なお、取り付け部５０Ａは、丸孔５１に限定されることなく、例えば、図８Ｂ〜図８Ｄに示すような楕円孔２８ｂ、スリット２８ｃ又は爪部２８ｄであってもよい。
【００５８】
このように構成により、図１１と同様に、ケース端板１３から非防水の螺子５２が通されると、非防水の螺子５２がシール材であるパッキン１４を介して取り付け部５０Ａの丸孔５１に嵌合され、ケース端板１３とベース部材２６の側板面２６ａに形成された取り付け部５０Ａとが非防水の螺子５２を介して電気的に接続されることになる。
【００５９】
なお、ベース部材２６の側板面２６ａを折り曲げることによって取り付け部５０Ａを形成しているが、これに限定されるものではない。
【００６０】
図１４は、電源ユニットの他の構成を長手方向の側面から見た図である。図１５は、電源ユニット２１が収容ケース１１に収容された状態を上板面の方向から見た断面図である。図１６は、電源ユニット２１が収容ケース１１に収容された状態を短手方向の側面から見た断面図である。
【００６１】
図１４に示すように、電源ユニット２１のベース部材２６の側板面２６の両端に、丸孔６１を有する取り付け部６０を形成する。そして、図１５及び図１６に示すように、ケース筒１２の側板面１２ｂから非防水の螺子５２が通される。これにより、非防水の螺子５２がシール材であるパッキン１４を介して取り付け部６０の丸孔６１に嵌合され、ケース筒１２とベース部材２６の側板面２６ａに形成された取り付け部６０とが非防水の螺子５２を介して電気的に接続されることになる。このような構造により、電源ユニット２１と収容ケース１１とが螺子５２を介して電気的に接続され、アース接続されることになる。
【００６２】
本実施形態では、ケース筒１２の側板面１２ｂにおいて非防水の螺子５２が挿通する孔は、非防水の螺子５２が取り付け部５０を引き寄せることによって、パッキン１４がケース筒１２の側板面１２ｂの内面に押し付けられ、防水構造となる。
【００６３】
なお、非防水の螺子５２を設ける位置、設ける面、設ける数、及び、非防水の螺子５２の形状は、図８〜図１６に限定されるものではない。すなわち、金属により形成されている収容ケース１１のケース筒１２またはケース端板１３と、内部の電源ユニット２１とをパッキン１４を介して非防水の螺子５２を用いて接触させる構造であればよい。例えば、図１５の例では、ケース筒１２の一方の側板面１２ｂにのみ螺子５２が設けられているが、ケース筒１２の他方の側板面１２ｂにも螺子５２を設ける構成であってもよい。
【００６４】
本実施形態の電源装置５は、ケース筒１２又はケース端板１３と、電源ユニット２１とをシール材であるパッキン１４を介して螺子５２により接続する構成になっている。そのため、本実施形態の電源装置５は、第１の実施形態の防水螺子４１に代わり、非防水の螺子５２を用いることができ、第１の実施形態よりも更に安価な構成により電源ユニット２１と収容ケース１１とを電気的に接続することができる。
【００６５】
本発明のいくつかの実施の形態を説明したが、これらの実施の形態は、例として提示したものであり、発明の範囲を限定することは意図していない。これら新規な実施の形態は、その他の様々な形態で実施されることが可能であり、発明の要旨を逸脱しない範囲で、種々の省略、置き換え、変更を行うことができる。これら実施の形態やその変形は、発明の範囲や要旨に含まれるとともに、特許請求の範囲に記載された発明とその均等の範囲に含まれる。
【符号の説明】
【００６６】
１…照明器具、２…器具本体、３…ランプソケット、４…ＬＥＤランプ、５…電源装置、１１…収容ケース、１２…ケース筒、１３…ケース端板、１４…パッキン、１５…螺子、１６…電源線、２１…電源ユニット、２３…ユニットケース、２４…プリント配線基板、２５…端子台、２６…ベース部材、２７…カバー部材、４１…防水螺子、５０，５０Ａ，６０…取り付け部、５２…螺子。
【図１】
2018166030.tif 000003
【図２】
2018166030.tif 000004
【図３】
2018166030.tif 000005
【図４】
2018166030.tif 000006
【図５】
2018166030.tif 000007
【図６】
2018166030.tif 000008
【図７】
2018166030.tif 000009
【図８Ａ】
2018166030.tif 000010
【図８Ｂ】
2018166030.tif 000011
【図８Ｃ】
2018166030.tif 000012
【図８Ｄ】
2018166030.tif 000013
【図９】
2018166030.tif 000014
【図１０】
2018166030.tif 000015
【図１１】
2018166030.tif 000016
【図１２】
2018166030.tif 000017
【図１３】
2018166030.tif 000018
【図１４】
2018166030.tif 000019
【図１５】
2018166030.tif 000020
【図１６】
2018166030.tif 000021